(57)【要約】【課題】屋上に人工庭園を施工するとき、庭園を構成する部材を屋内経由で運搬することが可能であり、施工にかかる手間、費用、時間を抑えることができるにもかかわらず、起伏を有し、外形状も自由に設定することのできる人工庭園を提供することを目的とする。【解決手段】植栽土壌が充填された多数の庭園構築用箱を人工庭園構築面上に面隣接して配置することによって形成される人工庭園において、各庭園構築用箱は、その側枠が、得ようとする人工庭園を所望パターンで略格子状に区画した仮想区画に沿う形状をしているとともに、側枠の上端縁が、対応する仮想区画の植栽面の起伏に沿う形状に形成されていることを特徴とする構成とした。【選択図】      図１
2004187525.tif 000002
【特許請求の範囲】
【請求項１】
植栽土壌が充填された多数の庭園構築用箱を人工庭園構築面上に面隣接して配置することによって形成される人工庭園において、
各庭園構築用箱は、その側枠が、得ようとする人工庭園を所望パターンで略格子状に区画した仮想区画に沿う形状をしているとともに、側枠の上端縁が、対応する仮想区画の植栽面の起伏に沿う形状に形成されていることを特徴とする人工庭園。
【請求項２】
庭園構築用箱の底および側枠の少なくともいずれかに通水孔が穿設されている請求項１に記載の人工庭園。
【発明の詳細な説明】
【０００１】
【発明の属する技術分野】
本発明は、建築物の屋上やテラスなどの人工地盤上に容易に施工可能な人工庭園に関する。
【０００２】
【従来の技術】
従来、建築物の屋上やテラスなどの人工地盤上に造成されている人工庭園は、一般に、造成個所となるコンクリート打設面に防根シートなどを敷き、その周囲を石材などの外壁で目的とする仮想区画に沿うように覆うようにして外枠を形成し、この形成された外枠内に土壌を入れ、さらに植物を植えたり、石材などの装飾物を載置したりすることによって造成されている。
【０００３】
しかし、上述した方法では、人工庭園を造成する際、この人工庭園を形成する土壌や装飾物などを造成個所となる建築物の屋上などに運搬するのに、クレーンなどの重機器を利用しなければ効率良く作業することができない。
【０００４】
したがって、上述した方法は、クレーンなどの重機器が利用しやすい新築中の建物の施工時期と合わせて人工庭園を造成する場合、特に問題とならないが、既存の建築物の屋上などに新たに人口庭園を造成するときや既に造成されている人工庭園を改修したり撤去したりするときなど、わざわざ重機器を用意しなければならないというのは施工面や経費面から困難なものとなっていた。
また、人工庭園は、植物が大きく成長するに伴い、この植物の根が防水層に悪影響を与え、建築物に漏水をもたらす原因となることもあった。
【０００５】
そこで、上記問題点を解決すべく、特開２００２−８４８７５号公報では、金属ネットで形成された正方形の底面と、この底面の対向する二辺から立ち上がった立ち上げ部からなる骨体の外周に側部ネットを巻回するとともに、前記骨体の立ち上がり部のない側部には側壁材が固定されてなる庭園ユニットを複数並べ、各庭園ユニット内に充填させた土壌に植樹したり、草花を植え付けたりすることで施工された人工庭園が提案されている。
【特許文献１】特開２００２−８４８７５号公報
【０００６】
上記人工庭園は、構成部材である庭園ユニットを並べる数を調整することで、施工する人工庭園の大きさを調整することができ、また、人工庭園を形成している各ユニットを構成している骨体毎に持ち上げ可能となっているので、樹木が植えられているユニットのみを移動させることで、樹木を掘り起こさなくても樹木の移動が可能となる。
したがって、上記庭園は、容易に人工庭園の修理を行うことが可能となっている。
【０００７】
【発明が解決しようとする課題】
しかし、上記公報に記載された人工庭園は、金属ネットを折り曲げて底部と立ち上がり部とを備えた骨体により各ユニットが構成されているため、人工庭園を施工しようとする場所に直接それぞれのユニットを配置させるのではなく、予め耐根シートや保水マットを敷設しなければならず、また、庭園ユニットを移動させようとしたとき、金属ネットの隙間から土壌がこぼれてしまうことが考えられ、屋外で土壌が充填されたユニットを屋内経由で屋上に運搬することは困難なものであった。
【０００８】
また、上記人工庭園は、各ユニットの立ち上がり部の高さが全て同じ高さに形成されているのに加えて、全て略マス形状をしているため、人工庭園に起伏を持たせたり、人工庭園の外周部分に曲線部分を設けたりすることができないという問題もあった。
【０００９】
そこで、本発明は、上記問題に鑑みてなされ、建築物の屋上などのコンクリート打設面に施工する人工庭園において、人工庭園を施工するコンクリート打設面に耐根シートや保水マットを敷設しなくても防水層を傷めることなく庭園を施工することができ、庭園を構成する部材を屋内経由で運搬することも可能であり、施工にかかる手間、費用、時間を抑えることができるにもかかわらず、起伏を有し、外形状も自由に設定することのできる人工庭園を提供することを目的としている。
【００１０】
【課題を解決するための手段】
上記目的を達成するために、本発明の請求項１にかかる人工庭園（以下、「請求項１の人工庭園」と記す。）は、植栽土壌が充填された多数の庭園構築用箱を人工庭園構築面上に面隣接して配置することによって形成される人工庭園において、各庭園構築用箱は、その側枠が、得ようとする人工庭園を所望パターンで略格子状に区画した仮想区画に沿う形状をしているとともに、側枠の上端縁が、対応する仮想区画の植栽面の起伏に沿う形状に形成されていることを特徴とする構成をしている。
【００１１】
また、本発明の請求項２にかかる人工庭園（以下、「請求項２の人工庭園」と記す。）は、請求項１の人工庭園の構成に加えて、庭園構築用箱の底および側枠の少なくともいずれかに通水孔が穿設されている構成としている。
【００１２】
上記構成において、植栽土壌とは、植物を栽培させるための土壌をいい、特に限定されないが、たとえば、真砂土、畑土、砂、鹿沼土、パーライト、バーク堆肥、ピートモスなどの混合物が挙げられる。
また、栽培する植物は、草花であっても樹木であっても良く、特に限定されない。
【００１３】
また、庭園構築用箱は、建築物内を経由して運搬することができ、人工庭園構築面上に面隣接して配置することによって人工庭園を形成可能となっていれば、材質、大きさ、形状などは特に限定されないが、エレベーターが設置されている建築物の屋上などに人工庭園を造成するとき、エレベーターを利用して運搬可能な大きさ、形状に形成されていることが好ましい。上述したエレベーターを利用して運搬可能な大きさとは、具体的には庭園構築用箱が矩形状をしている場合、底面の短辺が３００ｍｍ〜８００ｍｍ、長辺が短辺の２倍以内で、側面の高さが１００ｍｍ〜６００ｍｍ程度の大きさをいうが、エレベーターに載る大きさであれば前記寸法を超えるものであっても構わない。
【００１４】
また、庭園構築用箱は、矩形状に限らず、人工庭園の仮想区画に合わせて、一辺を膨出させたり、湾曲させたりしても構わない。
また、庭園構築用箱は、合成樹脂で形成されていても、金属で形成されていてもよく、特に限定されない。
さらに、庭園構築用箱は、連結金具により面隣接させた個所を固定させるようにすると、強風などの外部からの衝撃により隣接させている庭園構築用箱が移動してずれや隙間が生じることがなくなるため好ましい。
【００１５】
また、庭園構築用箱の側枠は、全て同じ大きさに形成されていても、一部の高さが高く（低く）形成されていても良く、特に限定されないが、構築する人工庭園の起伏に対応する高さの側枠を有する庭園構築用箱が配置されるように隣接していくようにすると、わざわざ盛土などを行わなくても起伏に富んだ人工庭園を構築することができるため好ましい。
【００１６】
また、人工庭園は、植物の生育を促進させるための吸水手段や排水手段を設けることが好ましい。
吸水手段としては、特に限定されないが、たとえば、人工庭園上にスプリンクラーを設けること、庭園構築用箱の立ち上がり部の上方部分に自動灌水装置用の滴下ホースを通すことなどが挙げられる。
【００１７】
排水手段としては、庭園構築用箱の底部に排水用の溝を設けたり、排水パイプを通したりすることが挙げられるが、請求項２の人工庭園のように、庭園構築用箱の底および側枠の少なくともいずれかに通水孔を穿設するようにすると、容易に排水を行うことができ、しかも庭園構築用箱内の通気性も良くなる。
【００１８】
また、請求項２の人工庭園における通水孔の大きさは、直径１ｍｍ〜１０ｍｍ程度の大きさをしていることが好ましい。すなわち、直径１ｍｍよりも径が小さいと、庭園構築用箱内の水分が排出されにくくなり、植えられている植物の根腐れを引き起こす惧れが生じてしまい、直径１０ｍｍよりも径が大きいと、庭園構築用箱内に充填している土壌が、通水孔から外部に漏れ出てしまう惧れが生じてしまう。
【００１９】
【発明の実施の形態】
以下に、本発明を、その実施の形態をあらわす図面を参照しつつ詳しく説明する。
図１は、本発明にかかる人工庭園の１実施形態の一部を示した斜視図である。図１に示したように、人工庭園１は、複数の庭園構築用箱２を面隣接して配置することによって形成されている。
【００２０】
庭園構築用箱２は、その側枠部分を構成する側壁が図２（ａ）に示した側壁２１ａ、２１ｂのように長方形をしているもの、図２（ｂ）に示した側壁２１ｂ、２２ｂのように一側辺から他側辺にかけて切り欠かれているもの、図２（ｃ）に示した側壁２１ｃ、２２ｃのように一側辺から他側辺にかけた途中から切り欠かれているもの、図２（ｄ）に示した側壁２１ｄ、２２ｄ、図２（ｅ）に示した側壁２１ｅ、２２ｅ、図２（ｆ）に示した側壁２１ｆ、２２ｆに示したように曲線状に切り欠かれているものなど様々な形状をしている。
【００２１】
図２（ｂ）〜図２（ｆ）に示したように、側壁が切り欠かれている場合、たとえば、図２（ｂ）の場合、図中に示した角度θが０〜３０°程度であることが好ましい。すなわち、この角度が３０°以上であると、庭園構築用箱２の内部に充填させた植栽土壌５の流出が生じるおそれがある。したがって、角度を３０°以上にする場合は、芝生、コケ、地被植物などを植付けしたりして、植栽土壌５の流出が生じないようにすることが必要である。勿論、他の側壁についても同様のことがいえる。
【００２２】
また、図示していないが、庭園構築用箱２は、側壁部分の一面が箱の内外方向に湾曲したような形状を有していても構わない。
この場合、構築しようとする人工庭園の外周に丸みや凹凸を持たせたい場合などに使用することができる。
【００２３】
また、図１に示したように、庭園構築用箱２の側枠には、通水孔３とホース孔４が穿設されている。
通水孔３は、直径１ｍｍ〜１０ｍｍ程度の大きさをしており、庭園構築用箱２の側枠部分全体にわたって略均等に散らばるように複数設けられている。また、図示していないが、庭園構築用箱２の底部分にも同様に通水孔３が穿設されている。
【００２４】
人工庭園１は、上述した庭園構築用箱２の様々な形状をしている庭園構築用箱２ａ〜２ｆを、構築しようとする人工庭園の仮想形状が形成されるようにそれぞれの側壁同士を面隣接させ、上面から見たときこれら庭園構築用箱２ａ〜２ｆにより所望パターンで略格子状に区画されている状態とする。このとき、それぞれの庭園構築用箱２ａ〜２ｆ（以下、全てを含めて「庭園構築用箱２」と記す。）は、一つ一つは、底面を構成するそれぞれの短辺が３００ｍｍ〜８００ｍｍ（長辺は短辺の２倍以内）、側壁の高さが１００ｍｍ〜６００ｍｍの大きさに形成されており、図３に示したように、側壁形状が同じ形状をしたもの同士が面隣接されるように配置することにより人工庭園を構築するようになっている。
また、面隣接された庭園構築用箱２は、図４に示したように、連結部材２３を使用することで、それぞれの面隣接させている側壁同士がずれ動かない状態で固定することが可能となっている。
【００２５】
また、庭園構築用箱２内には、図１に示したように植栽土壌５が充填されている。
植栽土壌５は、人工庭園１が建築物の屋上などに構築される場合が多い点から、建築物の荷重制限に対応するため、軽量であることが重要な条件となり、さらに保水力、通気性、排水性など優れた性質を有した土壌であると、少ない量で植物を良好に生長させることができる。このような性質を有する土壌としては、真砂土、畑土、砂、鹿沼土、パーライト、バーク堆肥、ピートモス等を適宜割合で混合した混合物を使用する。
【００２６】
庭園構築用箱２内に充填させる植栽土壌５の構成例としては、庭園構築用箱２内の下方部分（底側部分）で鹿沼土とパーライトを主体にしてバーク堆肥とピートモスなどを混合した軽い混合土壌が中心となる軽量土壌層が形成されるようにするとともに、庭園構築用箱２内の上方部分で真砂土を主体とした重い混合土壌が中心となる重量土壌層が形成されるようにする。このようにすると、庭園構築用箱２内に充填された植栽土壌５が、前記重量土壌層のみで構成されているときと比べて、軽く抑えることができるとともに、表面部分の土壌が重い混合土壌で構成されているため降雨による土壌の流出や強風による土壌の飛散を防ぐことができる。
【００２７】
ホース孔４は、図１に示したように庭園構築用箱２の一つの側壁上方部分と、この側壁と対向する側壁上方部分の二箇所に設けられており、図６に示したように、土壌に水を供給する水供給ホースＰが挿通されるようになっている。
上記水供給ホースＰは、庭園構築用箱２に充填された植栽土壌５の表面近傍から、ホースＰの内部を流通している水をホースＰの外部に排出滴下させるようにホース表面に複数の小さな孔が設けられており、また、図示していないが、タイマーつきの電磁弁とを備えている自動灌水装置に連結されるようになっている。
【００２８】
また、人工庭園１は、図１に示したように、植物６として草花、低木、高木など複数種類の植物を栽培して見栄えが良くなるようにする。
植物６として人工庭園１に高木を植えるときは、図５（ａ）および（ｂ）に示したように、庭園構築用箱２内に収容可能な大きさをした溶接金網７を収容した上に植物６の根鉢６０を載置した後、腐食しない合成樹脂製のバンド８を根鉢６０の上面に幹周よりも大きく根鉢６０の外周より小さい大きさをした環状に形成した環状バンド体８０を根鉢６０の上方部分に通し、この環状バンド体８０から固定バンド８で溶接金網７に固定する。その後、植栽土壌５を庭園構築用箱２に充填して、環状バンド体８０および溶接金網７に固定された根鉢６０を土壌内に埋設させることで強風に対しても高木が倒れるのを防ぐようになっている。
【００２９】
また、人工庭園１は、植物６に加えて、石材などの飾りを載置するようにしても良い。
飾りとして石材を使用する場合、石材としては、天然の石材に限らず、たとえば軽量の擬石などを使用しても構わない。このようにすると、人工庭園１の総重量を軽量に抑えることができる。
【００３０】
以上のような構成をしている人工庭園１は、庭園構築用箱２を面隣接させるだけで構築することができるため、構築作業が非常に容易であり、しかも短期間に構築を行うことができる。
また、庭園を構築する建築物の屋上までエレベーターが設けられている場合、庭園の構築部材であるそれぞれの庭園構築用箱２が、エレベーター内に余裕で収まる大きさに形成されているため、わざわざ重機器を用意しなくても、台車およびエレベーターを使用することで、庭園構築用箱２に植栽土壌５を充填した状態で容易に屋上まで運搬することができ、しかも、施工現場ではそれぞれの庭園構築用箱５を面隣接して固定するだけの容易な操作で庭園を構築することができる。
【００３１】
しかも、人工庭園１は、専門業者などの特別な技術を持った者でなくても構築することができるため、今まで屋上などに人工庭園を構築することを躊躇っていた者まで人工庭園を構築していく方向に意識が傾き、緑豊かな町並みを生み出し、都市部のヒートアイランド現象の緩和に貢献し、環境的にも好適な状態に持っていくことが可能となる。
【００３２】
また、人工庭園１は、構築作業だけでなく撤去作業も同様に容易かつ短期間に行うことができるため、イベントなどの短期間だけ人工庭園を使用する場合などにも好適に使用することができる。
【００３３】
また、人工庭園１は、構成部材である庭園構築用箱２の形状が、図２（ａ）〜（ｆ）に示した庭園構築用箱２ａ〜２ｆのように様々な形状を有しているため、起伏に富んだ様々な形状を自由に構築することができる。
さらに、庭園構築用箱２には、通水孔３が設けられているため、箱内に水が溜まって植物の根腐れを生じさせることがなく、ホース孔４が設けられているため、自動灌水装置の散水用のホースを取り付けることで、自動的に植栽している植物の水やりを行うことが可能となり、庭園の管理を容易に行うことが可能となる。
【００３４】
なお、本発明にかかる人工庭園は、上記実施の形態に限定されない。
人工庭園１では、排水手段が庭園構築用箱２に設けられた通水孔３であったが、通水孔３を設ける代わりに、庭園構築用箱２の底部分から外部に水を排出させるための排水用の溝を設けたり、排水パイプを設けたりして、強制的に水を外部に排出させるようにすると、屋上などに限らず、ベランダや室内などのような場所でも人工庭園を構築することが可能となる。
【００３５】
また、図７は、庭園構築用箱２０の下に、軽量の下敷き材料９を敷設して、高さを調節可能とした人工庭園１０を示したものである。
下敷き材料９は、たとえば、発泡スチロール製の板など、軽量でしかも土壌および植物が充填された庭園構築用箱を載せるのに耐え得る強度を有している材質で形成されている。
このように下敷き材料＊を用いると、総重量を重くしなくても、より起伏に富んだ人工庭園を構築することが可能となる。
【００３６】
また、上述した実施の形態では、庭園構築用箱２内に充填させる植栽土壌５は、軽量土壌層と重量土壌層との二層構造をしていたが、三層構造以上をしていてもよく、一層構造をしていても良い。また、軽量土壌層および重量土壌層の占める割合などは、庭園構築用箱２の深さ、栽培する植物の種類、建築物の荷重制限などにより適宜設定するようにする。
【００３７】
【発明の効果】
本発明の請求項１にかかる人工庭園は、以上のように構成されているため、人工庭園を施工するコンクリート打設面に耐根シートや保水マットを敷設しなくても建築物の防水層を傷めることなく人工庭園を施工することができ、人工庭園の構成部材である庭園構築用箱をエレベーターなどで運搬することも可能であり、施工にかかる手間、費用、時間を抑えることができるにもかかわらず、起伏を有し、外形状も自由に構築することができる。
【００３８】
また、本発明の請求項２にかかる人工庭園は、請求項１の人工庭園の効果に加えて、庭園構築用箱の底および側枠の少なくともいずれかに通水孔が穿設されているので、通気性および排水性に優れ、より好適に植物を栽培することが可能となる。
【図面の簡単な説明】
【図１】本発明にかかる人工庭園の１実施形態を示した斜視図である。
【図２】人工庭園を構築する庭園構築用箱の様々な形状を示した斜視図である。
【図３】庭園構築用箱を面隣接させた状態を示した斜視図である。
【図４】面隣接させた庭園構築用箱の連結させている様子を示した斜視図である。
【図５】人工庭園で栽培する植物が保持される様子を示した側面図および上面図である。
【図６】庭園構築用箱に水供給ホースが挿通される様子を示した斜視図である。
【図７】庭園構築用箱の下に軽量の下敷き材料を敷設して構築させた人工庭園を示した斜視図である。
【符号の説明】
１        人工庭園
２        庭園構築用箱
３        通水孔
４        ホース孔
５        植栽土壌
６        植物
【図１】
2004187525.tif 000003
【図２】
2004187525.tif 000004
【図３】
2004187525.tif 000005
【図４】
2004187525.tif 000006
【図５】
2004187525.tif 000007
【図６】
2004187525.tif 000008
【図７】
2004187525.tif 000009